(57)【要約】【課題】少ない構成部品で雨水の侵入を防ぐとともに、雨水の滴下音を低減し、経済的で信頼性及び耐久性の高い換気用屋外フードを提供すること。【解決手段】建物の外壁に設けられた換気孔に取り付けられる箱形の金属製の換気用屋外フードにおいて、屋外フードの天板２に、天板２よりも大きい板厚の金属製の補強材１１を、スポット溶接によって一体に取り付ける。【選択図】図１
2019090591.tif 000002
【特許請求の範囲】
【請求項１】
建物の外壁に設けられた換気孔に取り付けられる箱形の金属製の換気用屋外フードにおいて、屋外フードの天板に、天板よりも大きい板厚の金属製の補強材を、溶接によって一体に取り付けるようにしたことを特徴とする換気用屋外フード。
【発明の詳細な説明】
【技術分野】
【０００１】
本発明は、換気用屋外フードに関するものである。
【背景技術】
【０００２】
従来、建物の外壁に設けられた換気孔には、雨水が換気孔を通って建物内に侵入しないように、屋外フードを取り付けるようにしている（例えば、特許文献１〜２参照。）。
そして、図５に示すように、住宅等の建物の外壁２０に設けられた換気孔２１には、換気孔２１の屋外側に、室内空気を屋外に排気する換気扇２２を装着し、この換気扇２２を屋外フード２３に覆うようにしている。
【０００３】
なお、換気扇２２を屋内に装着したり、換気扇２２を装着せずに換気孔２１のみを設ける場合もあるが、これらの場合でも、雨水が換気孔を通って建物内に侵入しないように、同様の屋外フードを取り付けるようにしている。
【０００４】
ところで、この種の屋外フードには、合成樹脂製のもののほか、耐久性を考慮して、金属製のものが汎用されているが、特に、箱形の金属製の屋外フードは、建物の外壁から外側に張り出して取り付けられるため、屋外フードの天板に当たった雨水の滴下音（軒等から落下した雨垂れのほか、大きな雨粒が屋外フードに当たって発生する音をいう。）が、換気孔を通して、屋内に響くという問題があり、雨水の滴下音を低減することが要請されている。
【０００５】
ここで、特許文献２に記載のものでは、整流板の傾斜角度を大きくとることで、雨水の滴下音を低減するようにしているが、屋外フードの構造が複雑になるという問題があった。
【先行技術文献】
【特許文献】
【０００６】
【特許文献１】特開２０１２−１０７８０６号公報
【特許文献２】特開２００８−８９２６４号公報
【発明の概要】
【発明が解決しようとする課題】
【０００７】
本発明は、上記従来の換気用屋外フードの有する問題点に鑑み、少ない構成部品で雨水の侵入を防ぐとともに、雨水の滴下音を低減し、経済的で信頼性及び耐久性の高い換気用屋外フードを提供することを目的とする。
【課題を解決するための手段】
【０００８】
上記目的を達成するため、本発明の換気用屋外フードは、建物の外壁に設けられた換気孔に取り付けられる箱形の金属製の換気用屋外フードにおいて、屋外フードの天板に、天板よりも大きい板厚の金属製の補強材を、溶接によって一体に取り付けるようにしたことを特徴とする。
この場合、前記補強材を、その面積が、天板の面積の３０％以上になるように形成することが好ましい。
【発明の効果】
【０００９】
本発明の換気用屋外フードによれば、屋外フードの天板に、天板よりも大きい板厚の金属製の補強材を、溶接によって一体に取り付けるようにしたことから、少ない構成部品で雨水の侵入を防ぐとともに、雨水の滴下音を低減し、経済的で信頼性及び耐久性の高い換気用屋外フードを提供することができる。
【図面の簡単な説明】
【００１０】
【図１】本発明の換気用屋外フードの一実施例を示す断面図である。
【図２】同外観斜視図である。
【図３】本発明の換気用屋外フードの変形実施例を示す断面図である。
【図４】本発明の換気用屋外フードの変形実施例を示す外観斜視図である。
【図５】従来の換気扇を示し、（ａ）は断面図、（ｂ）は屋外フードの外観斜視図である。
【発明を実施するための形態】
【００１１】
以下、本発明の換気用屋外フードの実施の形態を、図面に基づいて説明する。
【００１２】
図１〜図２に、本発明の換気用屋外フードの一実施例を示す。
この換気用屋外フードは、建物の外壁に設けられた換気孔に、この換気孔を通って雨水が建物内に侵入しないように取り付けられるもので、箱形の金属製のものからなる。
【００１３】
そして、この換気用屋外フードは、縦板１、天板２、ベース板３、ポケット金具４、フード引掛け金具５、ガラリ６、フード固定ネジ７、ガラリ固定ネジ８、壁面取付ネジ９、防水テープ１０、補強材１１、リベット１２、ボンドブレーカ１３、胴部１４、貼着式制振材１５等から構成されている。
【００１４】
この場合において、雨水の滴下音を低減するために設けられる補強材１１は、天板２よりも大きい板厚の金属製材料からなり、天板２に、溶接によって、具体的には、スポット溶接によって、より具体的には、補強材１１の奥行き方向（図１の左右方向）の中心部を幅方向に一列に数箇所（例えば、３〜９箇所。）スポット溶接することによって、一体に取り付けるようにしている。
なお、溶接方法は、天板２及び補強材１１の材質に応じて、スポット溶接のほか、任意の溶接方法を採用することができる。
【００１５】
本実施例において、換気用屋外フード（縦板１、天板２、ベース板３、ガラリ６等）及び補強材１１は、ステンレススチール（ＳＵＳ３０４）製のものからなるが、鉄等の他の金属材料（メッキや塗装したものを含む。）で構成することもできる。
【００１６】
補強材１１の板厚ｔ１１は、天板２と補強材１１の振動特性が異なるように、天板２の板厚ｔ２よりも大きい板厚、具体的には、天板２の板厚ｔ２の１．５〜６倍程度、具体的には、天板２の板厚ｔ２が０．５ｍｍの場合は、０．７５〜３ｍｍ程度（本実施例においては、１．５ｍｍ）に設定するようにする。
【００１７】
補強材１１の大きさは、天板２の幅方向は、天板２の幅方向の寸法の、少なくとも、７０％以上、好ましくは、８０％以上、より好ましくは、９０％以上に亘って設けることができる大きさ（本実施例においては、略全幅。）に設定するようにし、天板２の奥行き方向は、天板２の奥行き方向の寸法の、少なくとも、４０％以上、好ましくは、５０％以上、より好ましくは、６０％以上に亘って設けることができる大きさ（本実施例においては、約５０％。）に設定するようにし、面積は、天板２の面積の、少なくとも、３０％以上、好ましくは、４０％以上、より好ましくは、５０％以上の大きさ（本実施例においては、約５０％。）に設定するようにする。
【００１８】
また、補強材１１は、本実施例のように、平板形状のもののほか、図３に示す変形実施例のように、平板形状の補強材１１の外側の縁部に、補強材１１の縁部を約９０°に折り曲げ加工した折曲部１１ａを形成するようにしたものを用いることができる。
このように、折曲部１１ａを形成することによって、万一、溶接部が外れて補強材１１が離脱しても、補強材１１がガラリ６の隙間をすり抜けて落下することを防止することができるとともに、溶接の際に発生する歪みの変形を防止し、屋外フードの製作精度を高めることができるようにしている。
【００１９】
また、本実施例の換気用屋外フードにおいては、縦板１の表面に合成ゴム系粘着剤を用いた貼着式制振材１５、具体的には、アルミニウムシートと合成ゴム系粘着剤との積層構造からなる貼着式制振材（日東電工社製「レジェトレックス  Ｄ−３００Ｎ」（商品名））を取り付けるようにしている。
なお、天板２（補強材１１の表面）にも同様の貼着式制振材をさらに取り付けるようにすることもできる。
これにより、縦板１（及び天板２）を制振させることで、雨水の滴下音を一層低減すること、特に、縦板１の前面に当たる雨水の雨音を低減することができる。
【００２０】
なお、縦板１に取り付ける貼着式制振材１５に代えて、天板２に取り付けるようにした補強材１１と同様に、縦板１よりも大きい板厚の金属製材料からなる補強材を、縦板１に、溶接によって、具体的には、スポット溶接によって、一体に取り付けるようにすることもできる。
【００２１】
また、図４に示す変形実施例に示すように、ベース板３に、可動部材としての防火ダンパー１６を設けることができる。
なお、ベース板３には、可動部材としての防火ダンパー１６のほか、異物の侵入を防止するための固定部材としての格子状のガラリや網状のネットを設けることもできる。
【００２２】
次に、本発明の換気用屋外フードのより具体的な実施例について、雨音試験を行った結果を、表１（径φ１００の換気孔用）、表２（径φ１５０の換気孔用）及び表３（角穴形状の換気孔用）に示す。
【００２３】
【表１】
2019090591.tif 000003
【００２４】
【表２】
2019090591.tif 000004
【００２５】
【表３】
2019090591.tif 000005
【００２６】
表１〜表３から明らかなように、天板２に補強材１１を取り付けるようにした本発明の換気用屋外フードの各実施例１及び２（ここで、補強材１１の大きさは、天板２の幅方向は、天板２の幅方向の寸法の略全幅、天板２の奥行き方向は、天板２の奥行き方向の寸法の約５０％、面積は、天板２の面積の約５０％に設定。）は、天板２に貼着式制振材を取り付けるようにした比較例よりも良好な雨水の滴下音の低減効果（５０ｄＢ以下への低減効果）を奏することを確認した。
【００２７】
この換気用屋外フードによれば、屋外フードの天板２に、天板２よりも大きい板厚の金属製の補強材１１を、溶接によって一体に取り付けるようにしたことから、少ない構成部品で雨水の侵入を防ぐとともに、雨水の滴下音を低減し、経済的で信頼性及び耐久性の高い換気用屋外フードを提供することができる。
【００２８】
以上、本発明の換気用屋外フードについて、その実施例に基づいて説明したが、本発明は上記実施例に記載した構成に限定されるものではなく、その趣旨を逸脱しない範囲において適宜その構成を変更することができるものである。
【産業上の利用可能性】
【００２９】
本発明の換気用屋外フードは、少ない構成部品で雨水の侵入を防ぐとともに、雨水の滴下音を低減し、経済的で信頼性及び耐久性が高い特性を有していることから、換気扇を屋内外に装着した換気孔や、換気扇を装着しない換気孔のための換気用屋外フードの用途に好適に用いることができる。
【符号の説明】
【００３０】
１  縦板
２  天板
３  ベース板
４  ポケット金具
５  フード引掛け金具
６  ガラリ
７  フード固定ネジ
８  ガラリ固定ネジ
９  壁面取付ネジ
１０  防水テープ
１１  補強材
１１ａ  折曲部
１２  リベット
１３  ボンドブレーカ
１４  胴部
１５  貼着式制振材
１６  防火ダンパー
【図１】
2019090591.tif 000006
【図２】
2019090591.tif 000007
【図３】
2019090591.tif 000008
【図４】
2019090591.tif 000009
【図５】
2019090591.tif 000010